(57)【要約】【課題】受信エリアが変わった場合でも、常に受信可能な最新のプリセット局を保持し、受信エリアが変化しないときはプリセット局を保護し得る受信装置を提供する。【解決手段】プリセットされた局の受信状態をチェックして、プリセットされた全ての局の受信状態が悪化したと判断された場合にプリセット局の組み直しを行う。プリセット局の組み直しは、所定帯域内の複数の局を受信して受信状態の良い局から順にプリセット局に組み入れる。受信状態の良好な局が１局も検知できないときは従来のプリセット局を維持する。【選択図】　図２
2004104215.tif 000002
【特許請求の範囲】
【請求項１】
電波の受信状態を示す受信状態信号を生成するチューナ手段と、複数のプリセット局を記憶する記憶手段と、前記プリセット局を変更する制御手段とを含む受信装置であって、
前記制御手段は、前記受信状態信号に基づいて前記プリセット局の各々の受信状態の悪化を判断して前記プリセット局全ての受信状態が悪化したと判断された場合に、前記記憶手段に記憶されたプリセット局を変更することを特徴とする受信装置。
【請求項２】
前記制御手段は、前記プリセット局を変更する際に、前記チューナ手段に所定帯域内にある複数の局からの電波を受信させ、前記受信状態信号に基づいて受信状態が良好な局を選択して前記記憶手段に記憶させることを特徴とする請求項１に記載の受信装置。
【請求項３】
前記制御手段は、受信状態が良好な局を選択できないとき、前記記憶手段に記憶されたプリセット局を維持することを特徴とする請求項２に記載の受信装置。
【請求項４】
前記制御手段は、受信装置の非稼働時においても前記プリセット局の変更処理を実行し、受信装置が稼働状態に移行する際に非稼働時において前記記憶手段に記憶されたプリセット局を、受信装置の稼働時におけるプリセット局として用いることを特徴とする請求項１乃至請求項３に記載の受信装置。
【請求項５】
受信装置におけるプリセット局の設定変更方法であって。
複数のプリセット局を記憶する第１のステップと、
前記第１のステップで記憶された複数のプリセット局の各々についてその受信状態を検知する第２のステップと、
前記第２のステップにおける検知結果に基づいて前記プリセット局全ての受信状態が悪化したことが検知された場合に、前記第１のステップで記憶されたプリセット局を変更する第３のステップと、を含むことを特徴とするプリセット局の設定変更方法。
【発明の詳細な説明】
【０００１】
【発明の属する技術分野】
本発明は、受信装置等に関する。
【０００２】
【従来の技術】
カー・オーディオ装置において、例えばコンパクトディスクプレーヤなどの非ラジオソースを動作させながら遠距離を移動し、その後、ラジオソースに動作を切り替えた場合放送局の受信エリアが換わっているため、予めラジオソースにプリセットされていた局が受信できないという問題があった。
【０００３】
従来、このような問題を解決すべく、ラジオソースがいわゆる裏ソースにおかれた場合のプリセット局の変更機能として、以下に示すようなラジオソースの構成が知られている。なお、裏ソースとは、カー・オーディオ装置において、ラジオやコンパクトディスクプレーヤ等の各種ソースが、その電源はオンとされているが音声ソースとして選択されていない状態にあるものを言う。つまり、カー・オーディオ装置においてコンパクトディスクプレーヤやカセットデッキ等のソースを使用している場合に、ラジオソースが裏ソースとなる。逆に、カー・オーディオ装置において現在、音声ソースとして選択されている状態のソースを表ソースと称する。従って、カー・オーディオ装置において、ラジオを聴いているときはラジオソースが表ソースとなり、コンパクトディスクプレーヤやカセットデッキ等のソースが裏ソースとなる。
【０００４】
かかるプリセット局の変更機能の従来技術としては、例えば、ＧＰＳ（Ｇｌｏｂａｌ　Ｐｏｓｉｔｉｏｎｉｎｇ　Ｓｙｓｔｅｍ）などの位置情報検出装置を利用して自車位置近傍の放送局を抽出し、これらの局を用いてプリセット局を組み直す構成のラジオソースがある（特許文献１を参照のこと）。また、表ソースで最後に受信した局（以下、単に“ラスト局”と称する）の受信状態を、ラジオソースが裏ソースの場合に監視して、その受信状態が悪化したと判断した場合にプリセット局を組み直す構成のラジオソースもある。
【０００５】
しかしながら、前者の場合は、単に地理的条件のみでプリセット局を組み直すため、例えば受信エリアの境界付近において、地形地物に影響される電波伝搬状況の不確定性から、新たに組み直したプリセット局が受信できない場合も起こり得る。一方、後者の場合は、ラスト局からの受信電波が、例えばトンネル通過などの一時的な要因で減衰したとき、他のプリセット局が十分に受信可能な状況であっても、プリセットされている局以外の局を用いてプリセット局が新たに組み直されてしまう可能性がある。
【０００６】
【特許文献１】
特開平８−２２２９９８号公報
【０００７】
【発明が解決しようとする課題】
従って、本発明が解決しようとする課題には上述した問題が一例として挙げられる。また、本発明は、遠距離移動で受信エリアが変わった場合でもプリセット局が常に受信可能な最新の状態に保持され、受信エリアが変化しないときは、プリセット局を保護し得る受信装置の提供を１つの目的とする。
【０００８】
【課題を解決するための手段】
請求項１に記載の発明は、電波の受信状態を示す受信状態信号を生成するチューナ手段と、複数のプリセット局を記憶する記憶手段と、前記プリセット局を変更する制御手段とを含む受信装置であって、前記制御手段は、前記受信状態信号に基づいて前記プリセット局の各々の受信状態の悪化を判断して前記プリセット局全ての受信状態が悪化したと判断された場合に、前記記憶手段に記憶されたプリセット局を変更することを特徴とする。
【０００９】
また、請求項５に記載の発明は、受信装置におけるプリセット局の設定変更方法であって、複数のプリセット局を記憶する第１のステップと、前記第１のステップで記憶された複数のプリセット局の各々についてその受信状態を検知する第２のステップと、前記第２のステップにおける検知結果に基づいて前記プリセット局全ての受信状態が悪化したことが検知された場合に、前記第１のステップで記憶されたプリセット局を変更する第３のステップとを含むことを特徴とする。
【００１０】
【発明の実施の形態】
本発明の実施の形態によるプリセット局変更機能付きラジオの一つの実施例を図１のブロック図に示す。
同図において、チューナユニット１０は、同調回路、高周波・中間周波増幅回路、及び検波回路などの各回路を含み、ラジオにおけるいわゆるフロントエンド機能を司る部分である。チューナユニット１０からは、受信局の有無を示す受信局検出信号、及び受信した局の信号レベルを表す受信レベル信号が、後述する制御ユニット２０に出力される。また、チューナユニット１０における受信局の選択は、制御ユニット２０から供給されるチューニング制御信号に基づいて行われる。なお、チューナユニット１０で検波された受信信号は、復調ユニットや音声増幅ユニット（いずれも図示せず）等の後段回路へ供給され、音声信号に変換されてスピーカ等の音響機器から出力されることは言うまでもない。
【００１１】
制御ユニット２０は、主に、マイクロコンピュータ２１、ＲＡＭ（Ｒａｎｄｏｍ　Ａｃｃｅｓｓ　Ｍｅｍｏｒｙ）回路２２、ＲＯＭ（Ｒｅａｄ　Ｏｎｌｙ　Ｍｅｍｏｒｙ）回路２３、及びそれらの周辺回路から構成されている。ＲＡＭ回路２２には、本実施例の動作時に必要とされる各種のフラグレジスタやメモリレジスタが設けられる。また、ＲＯＭ回路２３には、本装置の動作を規定した各種のプログラムが記憶されている。これらのプログラムが所定のタイミングの下、マイクロコンピュータ２１に内蔵されたクロックに同期して１ステップづつ実行されることにより、本実施例における動作処理が実行されるのである。
【００１２】
なお、図１に示すＲＡＭ回路２２やＲＯＭ回路２３は、通常の半導体メモリに限定されるものではなく、例えば、ハードディスク装置などの他のメモリ媒体を使用する構成しても良い。
因みに、本実施例における、チューナユニット１０、ＲＡＭ回路２２、及びマイクロコンピュータ２１が、それぞれ、本発明の実施の形態におけるチューナ手段、記憶手段、及び制御手段に相当する。
【００１３】
次に、本実施例によるプリセット局の変更処理の動作について説明を行う。
先ず、動作の全体的な動きを示す概略フローチャートを図２に示す。同フローチャートに示すサブルーチンプログラムは、例えば、本実施例によるラジオソースを含むカー・オーディオ装置の電源投入により起動されるようにしても良いし、又は所定のリセットスイッチを押下することによって起動されるようにしても良い。或いは、図１に示すラジオソース全体の動きを統括するメインルーチンプログラム（図示せず）が動作している間、所定のタイマーによって本サブルーチンプログラムが定期的に起動されるようにしても良い。
【００１４】
図２に示されるサブルーチンプログラムが起動されると、制御ユニット２０のマイクロコンピュータ２１（以下、単に“マイクロコンピュータ”と称する）は、ステップＳ１０１において、カー・オーディオ装置各部の電源が正常に立ち上がっているか否かを判定して、正常に立ち上がっているときは、次のステップＳ１０３に進む。
【００１５】
ステップＳ１０３においてマイクロコンピュータは、ラストソースがラジオソースか否かを判断する。ここでラストソースとは、本サブルーチンプログラムが起動される以前のカー・オーディオ装置稼働時において表ソースとして使用されていたソースを示すものとする。
ラストソースがラジオソースの場合は、マイクロコンピュータは、ステップＳ１０５に移り、裏ＢＳＭ処理によって受信局が検出されているか否かを判断する。ここでＢＳＭ（Ｂｅｓｔ　Ｓｔａｔｉｏｎｓ　Ｍｅｍｏｒｙ）処理とは、最も受信状態の良い局をメモリレジスタに受信局の信号レベルの良好な順にストアする処理のことをいい、裏ＢＳＭ処理とは、ラジオソースが前述した裏ソースのときに行われたＢＳＭ処理を意味するものである。なお、裏ＢＳＭ処理自体については、後のステップＳ１１７のサブルーチンプログラムので詳述する。
【００１６】
ステップＳ１０５において、裏ＢＳＭ処理で受信可能な局が１つでも検出されていると判断された場合は、マイクロコンピュータは、ステップＳ１０７に移り、裏ＢＳＭ処理で検出された局を用いるべく、当該受信局がストアされているＢＳＭ専用バンドを起動する。
一方、ステップＳ１０５において、裏ＢＳＭ処理によって１局も受信可能な局が検出されていないと判断された場合は、マイクロコンピュータは、ステップＳ１０９に移りラストバンドを起動する。ここでラストバンドとは、ラストソースがラジオソースの場合に受信されていたラジオソースバンドを表すものである。
これによって、ラジオソースがオフとなっていた間の裏ＢＳＭ処理によって受信局が採れていなかったときは、ラスト局を含むラストバンドが再現されることになる。
【００１７】
以上のステップＳ１０７、又はＳ１０９の処理が終了すると、マイクロコンピュータは、本サブルーチンプログラムを終了させてメインルーチンプログラムに復帰する。
一方、ステップＳ１０３において、ラストソースがラジオソース以外の、例えばコンパクトディスクプレーヤやカセットデッキであった場合は、制御がステップＳ１１１に移る。
【００１８】
マイクロコンピュータは、ステップＳ１１１においてステップＳ１０９と同様にラストバンドを起動すると、次のステップＳ１１３に移り後述するプリセット局受信状態記憶処理のサブルーチンプログラムを起動する。そして、同サブルーチンプログラムの処理を終了させてステップＳ１１３に復帰すると、同サブルーチンプログラムにおける処理結果を用いてプリセット局の受信状態を判断する（ステップＳ１１５）。
【００１９】
ステップＳ１１５において、マイクロコンピュータは、後述する裏ＢＳＭ用受信局有無判定メモリの内容をチェックして受信可能なプリセット局が１局でもあれば、本サブルーチンプログラムを終了させてメインルーチンプログラムに復帰する。従って、この場合は、従来からプリセットされていた局の構成がそのまま維持される。
【００２０】
一方、ステップＳ１１５において、プリセット局の全てが受信不可能であると判断された場合、マイクロコンピュータは、ステップＳ１１７に移り裏ＢＳＭ処理のサブルーチンプログラムを起動する。そして、同サブルーチンプログラムから復帰すると、本サブルーチンプログラムを終了させてメインルーチンプログラムに復帰する。
【００２１】
以上説明した如く、本実施例においては、全てのプリセット局が受信できないと判断された場合にのみ裏ＢＳＭ処理によるプリセット局の変更が為され、プリセット局の内の１局でも受信可能であればプリセット局は変更されない。それ故、例えば、ラスト局や一部のプリセット局の受信状態が一時的に悪化して受信不能となった場合でも、ラジオソースにプリセットされている局が新たに組み直されてしまうことはない。
【００２２】
次に、図２の概略フローチャートのステップＳ１１３で起動されるプリセット局受信状態記憶処理のサブルーチンプログラムについて説明を行う。
本サブルーチンプログラムにおける処理動作の流れを図３のフローチャートに示す。
本サブルーチンプログラムが起動されると、マイクロコンピュータは、先ず、フローチャートのステップＳ２０１において、全てのプリセット局について受信状態のチェックが終了したか否かを判断する。例えば、ラジオソースに予めプリセットされた局が６局（６ｃｈ）であれば、かかる６ｃｈ分の全てについて受信状態のチェックが終了しているか否かを判断する。因みに、プリセットのｃｈ数（局数）は、ラジオソースの操作ユニット（図示せず）に具備されるプリセット操作ボタンの数に対応している。
【００２３】
ステップＳ２０１において、全プリセットｃｈについてのチェックが終了していると判断された場合、マイクロコンピュータは、本サブルーチンプログラムを終了させて、図２に示した概略フローチャートのステップＳ１１３に復帰する。
一方、ステップＳ２０１において、全てのプリセット局について受信状態のチェックが終了していないと判断された場合、マイクロコンピュータは、ステップＳ２０３に移り、ＢＳＭ用プリセット局周波数メモリ（以下、単に“メモリ１”と称する）にアクセスする。
【００２４】
メモリ１は、ＲＡＭ回路２２内部に設けられたメモリレジスタであり、その構成を図４のメモリレジスタ構成図に示す。前述の如く、本実施例では、６つのプリセット操作ボタンに対応した６ｃｈのプリセット局があるものと仮定している。それ故、メモリ１は、各プリセットｃｈに対応した６つのエリアから成るメモリレジスタで構成されており、各々のエリアには各プリセットｃｈの受信周波数が記憶されているものとする。因みに、本実施例では１ｃｈ目のプリセット局が最も優先順位が高い局であり、６ｃｈ目の局が最も優先順位の低い局であるものと仮定する。なお、プリセット局のｃｈ数や図４に示すメモリレジスタの構成は、あくまでも一事例に過ぎず、本発明の実施の形態がかかる事例に限定されるものでないことは言うまでもない。また、これ以降に説明を行う種々のメモリレジスタの構成についても同様とする。
【００２５】
ステップＳ２０３においてマイクロコンピュータは、次にチェックするプリセットｃｈの局周波数をメモリ１から読み出すと、かかる周波数を受信すべく、所定のチューニング制御信号を生成してこれをチューナユニット１０に供給する。
チューナユニット１０内部の同調回路や周波数変換回路では、かかるチューニング制御信号の指令する周波数の電波を選択・受信して検波回路がこれに検波処理を施す。
【００２６】
なお、プリセットｃｈが連続する場合、連続したプリセット局同士の受信周波数帯域の上限周波数と下限周波数とが隣りあって配置され、受信周波数の切り替えに伴い同調回路等の動作が過渡的に不安定となるおそれがある。それ故、受信状態の安定を図るべく、マイクロコンピュータは、ステップＳ２０３でチューナユニット１０に指令を出した後、所定の期間に亘り待ち状態（ＷＡＩＴ）を繰り返す（ステップＳ２０５）。なお、かかるＷＡＩＴ期間中、プログラムの進行を一旦メインルーチンプログラムに戻すようにしても良い。
【００２７】
ステップＳ２０５の待ち状態が終了して、チューナユニット１０における受信状態が安定すると、マイクロコンピュータは、ステップＳ２０７に制御を移す。
そして、チューナユニット１０から出力される受信局検出信号を取り込み、チューナユニット１０に設定されたプリセット局の周波数において、実際に受信局が検出されたか否かをチェックする。
【００２８】
ここで、受信局検出信号としては、例えば、設定された受信周波数において、チューナユニット１０内部の検波回路におけるＰＬＬ（Ｐｈａｓｅ　Ｌｏｃｋｅｄ　Ｌｏｏｐ）の同期が確立されたことを示すロジック信号を用いても良い。或いは、チューナユニット１０内部で周波数変換を行った後の中間周波数の値が所定範囲内に有ることを示すロジック信号を用いるものとしても良い。何れの場合においても、チューナユニット１０に設定された周波数において受信局が検出されると、かかる受信局検出信号がオンとなり無検出の場合はオフとなる。それ故、かかるロジック信号のオン／オフをチェックすることによって受信局検出の有無を判定することができる。
【００２９】
マイクロコンピュータは、ステップＳ２０７における受信局検出信号のチェックの結果、受信局が検出されたときはステップＳ２１１に、検出されなかったときはステップＳ２１７に、それぞれ制御を移す（ステップＳ２０９）。
先ず、受信局が無いと判定されたとき、マイクロコンピュータは、ステップＳ２１７において裏ＢＳＭ用受信局有無判定メモリ（以下、単に“メモリ２”と称する。）にアクセスして、現在チェックを行っているプリセットｃｈに該当するメモリエリアに“０”をセットする。ここで、メモリ２とは、図４に示す如く、ＲＡＭ回路２２内部に設けられたメモリレジスタであり、その各エリアが１ｃｈから６ｃｈの各プリセットｃｈに対応している。すなわち、現在、受信状態をチェックしている受信局が４ｃｈの局であれば、ステップＳ２１７において４ｃｈのメモリエリアに“０”がセットされることになる。
【００３０】
一方、受信局が有ると判定されると、マイクロコンピュータは、ステップＳ２１１に進んで、更に、チューナユニット１０から出力される受信レベル信号を取り込み、同ユニットで受信された局の信号レベルの大きさをチェックする。
そして、受信レベルが所定の閾値以上であると判定されると、マイクロコンピュータは、ステップＳ２１５に進み、メモリ２の該当するｃｈのエリアに“１”をセットする。一方、受信レベルが所定の閾値に達していない判定されたときはステップＳ２１７に進み、上記のエリアに“０”をセットする。
【００３１】
すなわち、受信局が無いと判定されたとき、或いは受信局が有ると判定されても、その局からの信号レベルが良好な受信状態を担保するに必要な閾値に達していないと判定されたときは、メモリ２の該当するｃｈのエリアに“０”がセットされる。そして、受信局が有り、かつその局からの信号レベルが良好な受信状態を担保し得るときにのみ、メモリ２の該当するｃｈのエリアに“１”がセットされる。
【００３２】
ステップＳ２１５、又はステップＳ２１７の処理が終了すると、マイクロコンピュータは、本サブルーチンプログラムの開始点のステップＳ２０１に戻る。そして、全てのプリセット局の受信状態チェックが完了するまで、以上の処理が繰り返される。つまり、全てのプリセット局について受信状態チェックが終了すると、例えば、図４のメモリ２の設定例に示す如く、メモリ２の各プリセットｃｈに対応したエリアには、受信状態チェックの結果に応じて“０”又は“１”が設定されることになる。
【００３３】
次に、図２のステップＳ１１７で起動される裏ＢＳＭ処理のサブルーチンプログラムについて説明を行う。
本サブルーチンプログラムにおける処理動作の流れを図５のフローチャートに示す。
本サブルーチンプログラムが起動されると、マイクロコンピュータは、先ず、フローチャートのステップＳ３０１において、裏ＢＳＭ処理で使用される各メモリレジスタの初期化を行う。因みに、本サブルーチンプログラムで使用されるメモリレジスタは、ＢＳＭ用プリセット局信号レベルメモリ（以下、単に“メモリ３”と称する。）と、ＢＳＭ用プリセット局補助周波数メモリ（以下、単に“メモリ４”と称する。）の２つである。これらのメモリレジスタは、前述した他のメモリレジスタと同様に、ＲＡＭ回路２２の内部に設けられておりその構成を図６のメモリレジスタ構成図に示す。なお、これらのメモリレジスタの各エリアがプリセットｃｈの１ｃｈから６ｃｈの各々の局に対応していることは言うまでもない。
【００３４】
ステップＳ３０１において、図６のメモリエリア初期化処理に示す如く、メモリ３の各エリアには“１０（Ｈ）”なるヘキサデシマルコードが、メモリ４の各エリアには“ＦＦ（Ｈ）”なるヘキサデシマルコードが、それぞれセットされる。なお、かかる初期化コードは一事例であり、本発明の実施の形態がかかる事例に限定されるものではない。
【００３５】
ステップＳ３０１におけるメモリエリアの初期化処理が終了すると、マイクロコンピュータは、受信局検出のためのサーチ処理を開始する。
先ず、ステップＳ３０３において、サーチ処理を行う周波数帯域の下端周波数がセットされる。即ち、マイクロコンピュータは、かかる周波数に基づいたチューニング制御信号をチューナユニット１０に供給し、同ユニットでは、かかる周波数の電波が選択されて受信・検波処理が施される。
【００３６】
因みに、下端周波数の値は、サーチ処理を行う周波数帯域によって種々の値を採り得るものとする。例えば、ＦＭ放送帯域（７６．０〜９０．０ＭＨｚ）の場合は、７６．０ＭＨｚとなり、ＡＭ放送帯域（５２２〜１６２９ＫＨｚ）の場合は、５２２ＫＨｚとなる。また、他の放送帯域をサーチする場合には、その帯域に固有の値が用いられる。
【００３７】
チューナユニット１０における受信周波数の切換に伴う過渡的変動を考慮して、マイクロコンピュータは、受信状態の安定を図るべく、所定の期間に亘り待ち状態（ＷＡＩＴ）を繰り返す（ステップＳ３０５）。なお、かかるＷＡＩＴの期間中、プログラムの進行を一旦メインルーチンプログラムに戻すようにしても良い。
【００３８】
ステップＳ３０５のＷＡＩＴ期間が終了すると、マイクロコンピュータは、ステップＳ３０７に移り、チューナユニット１０から出力される受信局検出信号を取り込んで、チューナユニット１０に設定された周波数において、実際に受信局が検出されたか否かをチェックする。なお、受信局検出信号については、前述のプリセット局受信状態記憶処理のサブルーチンプログラムで詳述されているためその詳細は省略する。
【００３９】
次の、ステップＳ３０９において当該周波数の受信局が無いと判断された場合、マイクロコンピュータはステップＳ３１７に進む。一方、ステップＳ３０９において、当該周波数の受信局が有ると判断された場合は、ステップＳ３１１に進み、チューナユニット１０から出力される受信レベル信号を取り込んで、受信局からの電波が良好な受信状態を担保するに十分であるか否かを判断する（ステップＳ３１３）。
【００４０】
ステップＳ３１３において受信レベルが良好ではないと判断された場合、マイクロコンピュータはステップＳ３１７に進む。一方、受信レベルが良好であるあると判断された場合はステップＳ３１５に進み、メモリ３及びメモリ４のセット処理を行う。なお、ステップＳ３１５におけるメモリセット処理の内容については後述する。
【００４１】
ステップＳ３１５の処理が完了すると、マイクロコンピュータは、ステップＳ３１７に進み、以上の処理を行った周波数がサーチ処理の対象とされた周波数帯域の上端周波数に達したか否かを判断する。
ステップＳ３１７において、受信周波数が未だ上端周波数に達していないと判断された場合、マイクロコンピュータは、受信周波数をステップアップしてステップＳ３０３に戻ると、以上に説明したサーチ処理を繰り返して実行する。なお、受信周波数のステップアップは、通常のラジオにおけるマニュアル操作による場合と同様とし、例えば、ＡＭ放送帯域（５２２〜１６２９ＫＨｚ）の場合は９ＫＨｚステップとし、ＦＭ放送帯域（７６．０〜９０．０ＭＨｚ）の場合は０．１ＭＨｚステップとする。
【００４２】
ステップＳ３１７において、受信周波数が上端周波数に達していると判断された場合、マイクロコンピュータは、サーチ処理が完了したものとしてステップＳ３２１に制御を移す。
なお、図５に示すフローチャートでは、サーチ処理を周波数帯域の下端周波数からステップアップして行ったが、本発明の実施の形態は、かかる事例に限定されるものではない。例えば、サーチ処理を周波数帯域の上端周波数からステップダウンしてサーチ処理を行うようにしても良い。或いは、ＧＰＳ等の位置情報検出装置からの位置データを利用して、現在位置で受信可能な局のみを予め抽出してその抽出局の範囲内でサーチ処理を行うようにしても良い。
【００４３】
次に、ステップＳ３１５におけるメモリセット処理の概要について、図７に示すメモリ遷移図を参照しつつ説明を行う。
例えば、受信局のサーチ処理を開始した後、最初に検出された受信可能な局の周波数を７８．０ＭＨｚ、その受信信号レベルを３０（Ｈ）と仮定する。因みに、かかる受信信号レベルの値は、実際の受信信号の値をアナログ／デジタル変換した後、所定の基準に基づいて相対化してヘキサデシマルコードで表したものである。このとき、図７に示す如く、メモリ３の１ｃｈ目に同局の受信信号レベルである３０（Ｈ）が記憶され、メモリ４の１ｃｈ目に同局の周波数である７８．０ＭＨｚが記憶される。
【００４４】
その後のサーチ処理において、２回目に検出された受信可能な局の周波数を７９．５ＭＨｚ、その受信信号レベルを５０（Ｈ）と仮定する。メモリ３には、受信局の信号レベルの良好な順、即ち信号レベルの大きな順に１ｃｈ目からデータを書き込まれるものとする。それ故、図７に示す如く、メモリ３の１ｃｈ目に今回受信局の信号レベル５０（Ｈ）が記憶され、前回受信局の信号レベル３０（Ｈ）は、メモリ３の２ｃｈ目にシフトされる。また、メモリ４とメモリ３のｃｈは、常に対応関係を維持するため、メモリ４においてもその１ｃｈ目に今回受信局の周波数である７９．５ＭＨｚが記憶され、前回受信局の周波数７８．０ＭＨｚは２ｃｈ目にシフトされる。
【００４５】
従って、所定の周波数帯域におけるサーチ処理が全て完了した時点、即ちステップＳ３２１に制御が移った時点において、メモリ４には、受信信号レベル間の強い順に受信局の周波数がｃｈ１からｃｈ６の各エリアにプリセットされていることになる。
ステップＳ３２１において、マイクロコンピュータは、メモリ３或いはメモリ４の状態をチェックする。そして、これらのメモリの内容がステップＳ３０１で行われた初期化時のままであれば、裏ＢＳＭ処理、即ち本サブルーチンプログラムを終了させて、図２に示された概略フローチャートのステップＳ１１７に復帰する。因みに、この場合は、裏ＢＳＭ処理において受信可能な局が１局も採れなかった場合を意味している。
【００４６】
一方、ステップＳ３２１において、メモリ４に１局でも受信可能な局が記憶されていた場合、マイクロコンピュータは、ステップＳ３２３に進みメモリ４に記憶された受信局の内容を前述のメモリ１に転送する。これによって、裏ＢＳＭ処理により組み立てられてメモリ４に記憶されたプリセット局が、表ソースとして稼動するときに用いられるプリセットメモリであるメモリ１に移されることになる。
【００４７】
次に、マイクロコンピュータは、裏ＢＳＭ処理で新たに組み直したプリセット局の中にラスト局が含まれているか否かを判断する（ステップＳ３２５）。そして、ラスト局が含まれている場合にはステップＳ３２７に進み、かかるラスト局を受信する指令をチューニングユニットに行った後、本サブルーチンプログラムを終了させて、図２に示す概略フローチャートのステップＳ１１７に復帰する。
【００４８】
一方、ステップＳ３２５において、プリセット局の中にラスト局が含まれていないと判断された場合、マイクロコンピュータは、ステップＳ３２９に進み、プリセットメモリ（メモリ１）のｃｈ１の局を受信する指令をチューニングユニットに行った後、図２に示す概略フローチャートのステップＳ１１７に復帰する。
以上の処理によって、例えば、地下や立体駐車場などの電波伝搬環境の劣悪な場所で裏ＢＳＭ処理が行われて、サーチ処理による受信局が１局も採れない場合は、メモリ１（ＢＳＭ用プリセット周波数メモリ）に記憶されている従来のプリセット局が保存される。
【００４９】
また、ラジオソースが裏ソースから表ソースに復帰した際に、裏ＢＳＭ処理によってプリセットされた局の中にラスト局が有れば、ユーザはその局を継続して聴取することが可能となる。一方、裏ＢＳＭ処理によってプリセットされた局の中にラスト局が無いときは、プリセット局の中で最も受信状態の良好な局を聴取することができる。
【００５０】
本発明の実施の形態による受信装置は、以上説明した実施例に限定されるものではなく、例えば、プリセット変更機能有する受信装置としてラジオソースではなくテレビソースを使用しても良い。
また、ＢＳＭ用プリセット周波数メモリとは別に、マニュアル操作によって一律に設定されるユーザープリセット周波数メモリを併用するようにしても良い。
これによって、ユーザが通常好むプリセット局をかかるユーザープリセット周波数メモリに保存しておき、遠距離旅行等の移動によりユーザが好むプリセット局が壊されることを防ぐこともできる。
【００５１】
以上詳述した如く、本発明の実施の形態は、電波の受信状態を示す受信状態信号を生成するチューナ手段と、複数のプリセット局を記憶する記憶手段と、前記プリセット局を変更する制御手段とを含む受信装置であって、前記制御手段は、前記受信状態信号に基づいて前記プリセット局の各々の受信状態の悪化を判断して前記プリセット局全ての受信状態が悪化したと判断された場合に、前記記憶手段に記憶されたプリセット局を変更することを特徴とする。
【００５２】
また、他の実施の形態は、受信装置におけるプリセット局の設定変更方法であって。複数のプリセット局を記憶する第１のステップと、前記第１のステップで記憶された複数のプリセット局の各々についてその受信状態を検知する第２のステップと、前記第２のステップにおける検知結果に基づいて前記プリセット局全ての受信状態が悪化したことが検知された場合に、前記第１のステップで記憶されたプリセット局を変更する第３のステップと、を含むことを特徴とする。
【００５３】
かかる実施の形態によれば、遠距離移動で受信エリアが変わった場合でもプリセット局が常に最新の状態に保持され、受信エリアが変化しないときは、受信状態が一時的に悪化しても設定されたプリセット局を保護することができる。
【図面の簡単な説明】
【図１】図１は、本発明の実施の形態によるプリセット局変更機能付きラジオの１つの実施例を示すブロック図である。
【図２】図２は、図１のラジオにおけるプリセット局の変更動作の概略を示すフローチャートである。
【図３】図３は、図２におけるプリセット局受信状態記憶処理の動作を表すフローチャートである。
【図４】図４は、メモリ１及びメモリ２の構成を示すメモリレジスタ構成図である。
【図５】図５は、図２における裏ＢＳＭ処理の動作を表すフローチャートである。
【図６】図６は、メモリ３及びメモリ４の構成を示すメモリレジスタ構成図である。
【図７】図７は、裏ＢＳＭ処理におけるメモリセット処理の様子を示すメモリ遷移図である。
【符号の説明】
１０　チューナユニット
２０　制御ユニット
２１　マイクロコンピュータ
２２　ＲＡＭ回路
２３　ＲＯＭ回路
【図１】
2004104215.tif 000003
【図２】
2004104215.tif 000004
【図３】
2004104215.tif 000005
【図４】
2004104215.tif 000006
【図５】
2004104215.tif 000007
【図６】
2004104215.tif 000008
【図７】
2004104215.tif 000009